(57)【要約】【課題】塗布部を被塗布部に合わせて幅方向へも変形させて、簡易かつ確実に化粧料等を塗布することができるようにする。【解決手段】軸筒５内の貫通孔６内で回転可能となり、しかも先端側に折曲した変形部１０を形成する中軸９において、該変形部１０の表面全面に渡って密着するように櫛状の塗布部８を形成する塗布部材７を装着するので、該塗布部材内の中軸を回転させると塗布部材は上下のみならず幅方向にも変形し、瞼に沿って湾曲する睫毛に対しても塗布部は合致するので、簡易かつ正確に化粧料等を塗布することができる。【選択図】図３
2015058056.tif 000002
【特許請求の範囲】
【請求項１】
先端に塗布部材を一体に保持する軸筒と、中軸とから構成され、
該塗布部材は、直線状に、しかも変形可能として中空に成形されるとともに、その表面には塗布部を形成し、
該軸筒は、その内部に軸長手方向に沿って貫通孔を有し、
該中軸は、一端に軸長手方向を中心に回転可能とする回転機構を連結するとともに、他端側に変形部を形成してなるものであって、
該中軸を軸筒の貫通孔内に回転自在に挿通させるとともに、他端側の変形部において、回転可能に、かつ少なくともその表面の一部と密着するように塗布部材を装着してなる
ことを特徴とする塗布体。
【請求項２】
上記塗布部材の表面に形成される塗布部を、少なくとも中軸の変形部に対応して軸長手方向に沿うように単数又は複数の櫛又はブラシとする
ことを特徴とする請求項１記載の塗布体。
【請求項３】
上記塗布部材の表面に少なくとも中軸の変形部に対応して軸長手方向に沿うように形成される複数の櫛又はブラシの塗布部を、同種又は異種の組み合わせとする
ことを特徴とする請求項１記載の塗布体。
【発明の詳細な説明】
【技術分野】
【０００１】
本願発明は、マスカラ等の液状化粧料や睫毛美容液（以下、「化粧料等」という。）を睫毛に塗布する塗布体に関する。
【背景技術】
【０００２】
従来の化粧料等を塗布する塗布体では、その塗布部は使用者の好みや用途などの様々な要求に対応して、軸長手方向に直線状又は上下方向に湾曲状となる櫛或いはブラシとするものが一般的である。
【０００３】
しかしながら、上述のように、使用者による好みや用途などの様々な要求に対応すると、塗布体、特に塗布部は多種類に及ぶものとなる。その結果、塗布体の製造において使用される金型数は増大してしまい、塗布体の製造コストは著しく増大してしまうものである。
【０００４】
そのため、先端において、その内部に肉厚部である塗布部基体を形成する塗布部と一体となる管体と、該管体内を進退可能に挿通し、塗布部内において拡径部を先端に形成する内部桿とからなり、該内部桿を管体内で進退させることで、塗布部の内壁面に形成される塗布部基体と拡径部とを当接させることによって、塗布部の全体形状を直線状から湾曲状に、またその逆に変形可能とするマスカラ塗布具が提案されている（特許文献１参照）。
【０００５】
しかしながら、上記マスカラ塗布具の塗布部は、中空の塗布部内において、内部桿が移動することによって容易に変形するように肉薄部及び肉厚部が形成されているものであるので、塗布部を成形する際に成形ピンを引き抜こうとすると、特に肉厚部に負荷が加わり破損し易くなるので、成形は非常に困難なものとなる。
【０００６】
また、マスカラ塗布具の塗布部においては塗布性を向上させるために一定の柔軟性が必要となるが、この柔軟性を確保しようとすると塗布部内の、特に肉厚部は薄くせざるを得なくなるので、塗布部内において内部桿を移動させても十分な塗布部の変形を得ることができないものである。
そこで、成形の容易性及び変形の十分な確保を図るために、塗布部内の肉厚部を厚くするとともに、柔軟性をより高くすると、成形時の型離れは向上する反面、マスカラ塗布具としての柔軟性が失われて、簡易かつ確実なマスカラの塗布ができなくなるものである。
【０００７】
ところで、化粧料等を塗布する睫毛は瞼に沿って湾曲しているので、この睫毛の瞼に沿う湾曲に対しても塗布体の塗布部が合致できるように、円周方向に非対称である櫛状又はブラシ状の塗布部を塗布部の軸長手方向に対して左右方向（以下、「幅方向」とする。）に湾曲させるものも提案されている。
しかしながら、左右の睫毛の湾曲は、鼻を中心に対称的であるため、左右の睫毛うち一方では合致しても、他方では合致することはなく、また、同側の睫毛であっても、上下の瞼においては睫毛の湾曲は相違するものであるので、上下いずれか一方の睫毛に合致させても、他方の睫毛では塗布部は合致しないので、簡易且つ正確に化粧料等を塗布することができないものである。
【０００８】
このようなことから、従来の塗布体、特に塗布部では、軸長手方向に直線状、又は上下方向に湾曲状とする櫛或いはブラシであっても、幅方向には直線状となっているものが一般的である。
【先行技術文献】
【特許文献】
【０００９】
【特許文献１】特開２０１２−１７０５６９号公報
【発明の概要】
【発明が解決しようとする課題】
【００１０】
解決しようとする問題点は、使用者による好みや用途などの様々な要求に応じるために、塗布体製造時の金型の増大及び成形作業の困難性によるコストの増大を最小限としつつ、特に塗布部を瞼に沿って湾曲する上下左右の睫毛に対して合致させて化粧料等の簡易且つ正確な塗布を図ることができない点である。
【課題を解決するための手段】
【００１１】
第１の特徴として、
先端に塗布部材を一体に保持する軸筒と、中軸とから構成され、
該塗布部材は、直線状に、しかも変形可能として中空に成形されるとともに、その表面には塗布部を形成し、
該軸筒は、その内部に軸長手方向に沿って貫通孔を有し、
該中軸は、一端に軸長手方向を中心に回転可能とする回転機構を連結するとともに、他端側に変形部を形成してなるものであって、
該中軸を軸筒の貫通孔内に回転自在に挿通させるとともに、他端側の変形部において、回転可能に、かつ少なくともその表面の一部と密着するように塗布部材を装着してなるものである。
【００１２】
そのため、塗布部材は、中軸の他端側に形成する変形部に装着することで、該塗布部材に対して変形部の少なくともその表面の一部が密着するようになるものである。すなわち、塗布部材と変形部の表面とが完全に密着すると、塗布部材は変形部に合わせて変形するものとなる。ところが、塗布部材と変形部とがその表面の一部としか密着しない、つまり塗布部材と中軸とが不完全に密着するものであると、塗布部材は変形部に拘わらず変形しないこともある。
そこで、回転機構により中軸を回転させると、該中軸の他端側に形成される変形部も軸長手方向を中心に回転し、この回転する変形部によって塗布部材は共に回転することなく、変形するものとなる。すなわち、中軸の回転、しかも、中軸の回転は３６０°可能となるので、塗布部材の表面に形成される塗布部は上下のみならず幅方向へも変形することになる。その結果、塗布部材の表面に形成される塗布部は瞼に沿って湾曲する上下左右の睫毛の表面形状に合致するものとなるので、化粧料等を簡易且つ正確に塗布することができるものである。
【００１３】
特に、中軸の回転角度に応じて、該中軸の変形部に装着される塗布部材の上下及び幅方向への変形の度合いが変化するものであるので、多様に湾曲する睫毛の表面形状に合致させることができるものでもある。
【００１４】
さらに、塗布部材は中軸の変形部の回転に合わせても変形可能であるので、該塗布部材自体を中軸の変形部の形状に合わせて成形する必要はなく、直線状に一体成形するだけで足りるものである。そして、塗布部材内は平滑であるので成形作業自体も容易になるものである。その結果、使用者による好みや用途などの様々な要求を満たすべく塗布体の多様化を図っても、塗布体、特に塗布部材の製造工程における金型を不必要に増大させず、しかも製造作業自体も容易になるので、製造コストの増大を最小限にすることができるものである。
【００１５】
ここで、中軸の他端側に形成されることとなる変形部は、折曲するだけでなく、湾曲するものであっても良く、また中軸の一端に連結する回転機構は、中軸を軸長手方向を中心に回転させるもので足りるので、例えば回転力を部材の係合やギアの噛合により伝達させて中軸を回転させるものであっても良いものである。
【００１６】
第１の特徴を踏まえて、第２の特徴として、
上記塗布部材の表面に形成される塗布部を、少なくとも中軸の変形部に対応して軸長手方向に沿うように単数又は複数の櫛又はブラシとするものである。
【００１７】
そのため、回転する中軸の変形部に合わせて変形する塗布部材の表面に形成される塗布部が櫛であると、複数の睫毛をまとめて梳かしつつ化粧料等を厚く塗布することができ、またブラシであると、一本一本の睫毛に化粧料等を万遍なく塗布することができるものとなる。
【００１８】
第１の特徴を踏まえて、第３の特徴として、
上記塗布部材の表面に少なくとも中軸の変形部に対応して軸長手方向に沿うように形成される複数の櫛又はブラシの塗布部を、同種又は異種の組み合わせとするものである。
【００１９】
そのため、被塗布部に対する化粧料等の塗布に応じて、一つの塗布体において塗布部材の塗布部を選択することによって、化粧料等の使用者の好みや用途などの多様な要求に応じて、簡易且つ正確に塗布することができるものである。
【００２０】
なお、塗布体をなす中軸の変形部に装着される塗布部材としては、例えば図１１に示すようなものが考えられる。すなわち、同図（イ）は、塗布部材の表面に互いに対向する位置に櫛の塗布部と鋸歯の塗布部を配置するもの、（ロ）は、塗布部材の表面に互いに対向する位置に間隔が相違する櫛の塗布部を配置するもの、（ハ）は塗布部材の表面にブラシの塗布部を配置するもの、（ニ）は、塗布部材の表面に互いに対向する位置に間隔が相違するブラシの塗布部を配置するもの、さらに（ホ）は、塗布部材の全表面に渡ってブラシの塗布部を配置するものである。
【発明の効果】
【００２１】
本願発明は、一つの塗布体における塗布部材の塗布部が、該塗布部材内で少なくともその表面の一部を密着させながら装着する変形部を形成する中軸の回転に合わせて変形することによって、湾曲する睫毛に対して正確に合致するものであるので、簡易かつ正確に化粧料を塗布することができるとともに、使用者の多様な要求に対応して塗布体の製造時における金型数を最小限とするとともに、成形作業自体を容易化することで製造コストの増大を十分に最小限とすることができる優れた効果を有する。
【図面の簡単な説明】
【００２２】
【図１】図１は、本願発明の実施例１である塗布体を具える化粧料容器の拡大断面図である。
【図２】図２は、（イ）は本願発明の実施例１である塗布体を具える化粧料容器を構成するキャップの平面図、（ロ）は本願発明の実施例１である塗布体を具える化粧料容器を構成するキャップの側面図、先端方向からの正面図、（ハ）は本願発明の実施例１である塗布体を具える化粧料容器を構成するキャップの拡大断面図である。
【図３】図３（イ）〜（ハ）は、本願発明の実施例１である塗布体の各作動状態を示す平面図及び先端方向からの正面図である。
【図４】図４（イ）（ロ）は、本願発明の実施例１である塗布体の製造工程を示す平面図、先端方向からの正面図、側面図、及び断面図である。
【図５】図５は、（イ）は本願発明の実施例２である塗布体を具える化粧料容器を構成するキャップの平面図、（ロ）は本願発明の実施例２である塗布体を具える化粧料容器を構成するキャップの側面図、先端方向からの正面図、（ハ）は本願発明の実施例２である塗布体を具える化粧料容器を構成するキャップの拡大断面図である。
【図６】図６（イ）〜（ハ）は、本願発明の実施例２である塗布体の各作動状態を示す平面図及び先端方向からの正面図である。
【図７】図７（イ）（ロ）は、本願発明の実施例２である塗布体の製造工程を示す平面図、先端方向からの正面図、側面図、及び断面図である。
【図８】図８は、（イ）は本願発明の実施例３である塗布体を具える化粧料容器を構成するキャップの平面図、（ロ）は本願発明の実施例３である塗布体を具える化粧料容器を構成するキャップの側面図、先端方向からの正面図、（ハ）は本願発明の実施例３である塗布体を具える化粧料容器を構成するキャップの拡大断面図、Ａ−Ａ断面図である。
【図９】図９（イ）〜（ハ）は、本願発明の実施例３である塗布体の各作動状態を示す平面図、各作動状態における塗布部材での要部拡大断面図、及び先端方向からの正面図である。
【図１０】図１０（イ）（ロ）は、本願発明の実施例３である塗布体の製造工程を示す平面図、先端方向からの正面図、側面図、断面図、及び軸長手方向に直角となる断面図である。
【図１１】図８（イ）〜（ホ）は、本願発明の各実施例に適用可能となるその他の塗布部材の平面図、先端方向からの正面図、側面図、及び断面図である。
【発明を実施するための形態】
【００２３】
一本の塗布体によって、使用者の好みや用途などの様々な要求に応じて、簡易かつ正確に化粧料等を塗布できるようにするとともに、塗布体の製造における製造コストの上昇を抑制するため、塗布体を、直線状に、しかも変形可能として中空に成形されるものであって、その表面に塗布部を形成する塗布部材を、回転可能であって、他端側に変形部において、少なくともその表面の一部と密着するように装着することで、該中軸の回転で塗布部材の表面に形成される塗布部が上下及び幅方向に変形して、湾曲する睫毛に対して合致するものとして実現した。
【実施例１】
【００２４】
図１において示すのは、本願発明の実施例１である睫毛にマスカラ１２を塗布する塗布体４を具える化粧料容器１である。該化粧料容器１は、キャップ２と化粧料容器本体１１とから構成されるものである。
【００２５】
そして、該キャップ２は、開口側内周面に雌ネジ部３を螺設した上で、本願発明の実施例１である塗布体４を保持するとともに、該塗布体４と一体に連結する回転機構Ａを装着してなるものである。
【００２６】
ここで、上記塗布体４は、先端に塗布部材７を一体に保持する軸筒５と、中軸９とから構成され、該軸筒５は、その内部に軸長手方向に沿って貫通孔６を有し、該塗布部材７は、直線状に、しかも変形可能として断面形状が中軸９の断面形状と一致するように中空に成形、すなわち取付孔７ａを有するとともに、その表面には軸長手方向に櫛の塗布部８を形成し、該中軸９は、一端に軸長手方向を中心に回転可能とする後述の回転機構Ａを連結すると共に、他端側に折曲する変形部１０を形成するものである。
その上で、該中軸９を軸筒５の貫通孔６内に回転自在に挿通させるとともに、他端側の折曲した変形部１０において、中空とした取付孔７ａを有する塗布部材７を、回転可能に、かつその表面全面に渡って密着するように装着してなるものである。
【００２７】
なお、上記回転機構Ａは、キャップ２の後端に回転操作部Ａ１を一体に取り付けるとともに、該回転操作部Ａ１と塗布体４をなす中軸９を固持し、軸筒５後端の径大部５ａ内にパッキンＡ４を当接しつつ内装されるホルダーＡ２とを回転操作部Ａ１のリブＡ３とホルダーＡ２の突条片Ａ５との軸長手方向に摺動可能となる係合を介して共に回転するように接続してなるものである。
【００２８】
一方、化粧料容器本体１１は、その内部でマスカラ１２を貯留するものであって、その開口部１３の外周面に上記キャップ２の開口側内周面に螺設する雌ネジ部３と螺合する雄ネジ部１４を螺設するとともに、その内部にはシゴキ１５を装着するものである。
【００２９】
ところで、図４において示すように、塗布体４の製造は次のようにしてなるものである。すなわち、まず塗布部材７は、軸長手方向に沿って上方に向かう櫛状の塗布部８を形成するように直線状に、しかも中空に成形して取付孔７ａを有するものである。さらに中軸９は、他端側に折曲した変形部１０を形成してなるものである〔（同図（イ）参照）〕。そこで、塗布部材７の取付孔７ａ内に中軸９の挿入することで、該塗布部材７は中軸９の変形部１０に合わせて、その表面略全面に渡って回転自在に密着するものとなる。すなわち、塗布体４の先端では、塗布部材７に表面に形成される塗布部８の一部が中軸９の折曲した変形部１０に合わせて折曲したものとなる〔同図（ロ）〕。
【００３０】
本願発明の実施例１である塗布体４を具える化粧料容器１は以上の構成であるので、使用に当たっては図３に示すようにするものである。
まず、キャップ２に装着される回転機構Ａをなす回転操作部Ａ１の目盛りがキャップ側の目盛りのうち中央部にある場合、塗布体４の塗布部８は中軸９の折曲する変形部１０に合わせて折曲、すなわち軸長手方向に対して下方に向けて折曲しているものである。そのため、上下方向のみ湾曲し、幅方向への湾曲がない睫毛に対して該塗布部８は合致するものとなり、簡易且つ正確にマスカラ１２を塗布することができるものである〔同図（ロ）参照〕。
【００３１】
そして、キャップ２に装着される回転機構Ａをなす回転操作部Ａ１の目盛りをキャップ側の目盛りのうち、左右いずれかの目盛りまで各々９０°回転させることにより〔同図（イ）又は同図（ハ）参照〕、該回転操作部Ａ１と共回りするホルダーＡ２に固持された中軸９が左右いずれかに同角度まで回転するので、該中軸９先端の折曲した変形部１０も左右いずれかに塗布部材７内において、その表面を密着させながら各々９０°回転するものとなる。その結果、中軸９の先端側の変形部１０に密着して装着されている塗布部材７の塗布部８は、左右いずれか一方の幅方向へ変形するので、瞼に沿って湾曲する睫毛に対して、該塗布部８は合致するものとなるので、簡易且つ正確にマスカラ１２を塗布することができるものである。
【００３２】
なお、上記中軸９は３６０°回転可能であるので、塗布部材７における該中軸９の変形部１０によって湾曲する塗布部８は上下方向にも十分に変形可能となるものである。
【実施例２】
【００３３】
図５において示すのは、本願発明の実施例２である睫毛にマスカラ（図示せず）を塗布する塗布体４’を具える化粧料容器（図示せず）を化粧料容器本体（図示せず）とともに構成するキャップ２’である。
【００３４】
そして、該キャップ２’は、実施例１と同様に、開口側内周面に雌ネジ部３’を螺設した上で、本願発明の実施例２である塗布体４’を保持すると共に、該塗布体４’と一体に連結する回転機構Ｂを装着してなるものである。
【００３５】
ここで、上記塗布体４’は、先端に塗布部材７’を一体に保持する軸筒５’と、中軸９’とから構成され、該軸筒５’は、その内部に軸長手方向に沿って貫通孔６’を有し、該塗布部材７’は、直線状に、しかも変形可能として断面形状が中軸９’の断面形状と一致するように中空に成形、すなわち取付孔７’ａを有するとともに、その表面には軸長手方向に櫛の塗布部８’を形成し、該中軸９’は、一端に軸長手方向を中心に回転可能とする後述の回転機構Ｂを連結するとともに、他端側に上方に向かって突出するように湾曲する変形部１０’を形成するものである。
その上で、該中軸９’を軸筒５’の貫通孔６’内に回転自在に挿通させるとともに、他端側の湾曲した変形部１０’において中空とした取付孔７’ａを有する塗布部材７’を、回転可能に、かつその表面全面に渡って密着するように装着してなるものである。
【００３６】
なお、上記回転機構Ｂは、キャップ２’の側周面より露出する、軸長手方向に回転自在に取り付けられたホイールＢ１の回転を伝達するように、ホイールＢ１のギアＢ１’と噛合する中間ギアＢ２及び該中間ギアＢ２と噛合するベベルギアＢ３を介して、該ベベルギアＢ３と噛合するベベルギアＢ４を一体に形成し、塗布体４’をなす中軸９’を固持してなり、軸筒５’後端の径大部５’ａ内にパッキンＢ６を当接しつつ、ホルダーＢ５とを共に回転するように接続してなるものである。
【００３７】
一方、化粧料容器本体は、図示しないが、実施例１と同様に、その内部でマスカラを貯留するものであって、その開口部の外周面に上記キャップの開口内周面に螺設する雌ネジ部と螺合する雄ネジ部を螺設するとともに、その内部にはシゴキを装着するものである。
【００３８】
ところで、図７において示すように、塗布体４’の製造は次のようにしてなるものである。すなわち、まず塗布部材７’は、軸長手方向に沿って上方に向かう櫛の塗布部８’を形成するように直線状に、しかも中空に成形して取付孔７’ａを有するものである。さらに中軸９’は、他端側に上方に向かって突出するように湾曲した変形部１０’を形成してなるものである〔同図（イ）参照〕。そこで、塗布部材７’の取付孔７’ａ内に中軸９’を挿入することで、該塗布部材７’は中軸９’の変形部１０’に合わせて上方に向かって湾曲しつつ、その表面略全面に渡って回転自在に密着するものとなる。すなわち、塗布体４’の先端では、塗布部材７’に表面に形成される塗布部８’の一部が中軸９’の湾曲した変形部１０’に合わせて湾曲したものとなる〔同図（ロ）参照〕。
【００３９】
本願発明の実施例２である塗布体４’を具える化粧料容器（図示せず）は以上の構成であるので、使用に当たっては図６に示すようにするものである。
まず、キャップ２’に装着される回転機構ＢをなすホイールＢ１が中立位置にある場合、塗布体４’の塗布部８’の先端では中軸９’の湾曲する変形部１０’に合わせて湾曲しているものである。そのため、上下方向のみ湾曲し、幅方向への湾曲がない睫毛に対して該塗布部８’は合致するものとなり、簡易且つ正確にマスカラ（図示せず）を塗布することができるものである〔同図（ロ）参照〕。
【００４０】
そして、キャップ２’に装着される回転機構ＢをなすホイールＢ１を軸長手方向に沿って前後いずれかに回転させることにより〔同図（イ）又は同図（ハ）参照〕、該ホイールＢ１と中間ギアＢ２及びベベルギアＢ３を介して噛合するベベルギアＢ４を一体に形成するホルダーＢ５に固持された中軸９’が左右いずれかに同角度で回転するので、該中軸９’の先端側の湾曲した変形部１０’も左右いずれかに塗布部材７’内を密着しながら回転するものとなる。その結果、中軸９’の先端側の変形部１０’密着して装着されている塗布部材７’の塗布部８’は、左右いずれか一方の幅方向へ変形するので、瞼に沿って湾曲する睫毛に対して、該塗布部８’は合致するものとなるので、簡易且つ正確にマスカラを塗布することができるものである。
【００４１】
なお、上記中軸９’は３６０°回転可能であるので、塗布部材７’における該中軸９’の変形部１０’によって湾曲する塗布部８’は上下方向にも十分に変形可能となるものである。
【実施例３】
【００４２】
図８において示すのは、本願発明の実施例３である睫毛にマスカラ（図示せず）を塗布する塗布体４”を具える化粧料容器（図示せず）を化粧料容器本体（図示せず）とともに構成するキャップ２”である。
【００４３】
そして、上記キャップ２”は、後端に蓋体２”ａを嵌合固定し、その他は上記実施例１及び２と略同様に、開口側内周面に雌ネジ部３”を螺設した上で、本願発明の実施例３である塗布体４”を保持すると共に、該塗布体４”と一体に連結する回転機構Ｃを装着してなるものである。
【００４４】
ここで、上記塗布体４”は、先端に塗布部材７”を一体に保持する軸筒５”と、中軸９”とから構成され、該軸筒５”は、その内部に軸長手方向に沿って貫通孔６”を有し、該塗布部材７”は、直線状に、しかも変形可能として断面形状において円形状の中軸９”の後述する変形部１０”の表面の一部が密着するように中空に成形、すなわち断面形状が楕円形状とした取付孔７”ａを有するとともに、その表面には軸長手方向に対向して櫛の塗布部８”、８”を形成し、該中軸９’は、一端に軸長手方向を中心に回転可能とする後述の回転機構Ｃを連結するとともに、他端側に軸長手方向に対して湾曲する変形部１０”を形成するものである。
その上で、該中軸９”をの一端を、軸筒５”の貫通孔６”内に回転自在に挿通させるとともに、他端側の湾曲した変形部１０”において、中空とした取付孔７”ａを有する塗布部材７”を、回転可能に、かつその表面の一部に密着するように装着してなるものである。従って、塗布部材７”は、中軸９”の変形部１０”に装着したにも拘わらず、変形することなく原形のまま維持されるものである。
【００４５】
なお、上記回転機構Ｃは、キャップ２”の側周面において溝設されるスライド溝Ｃ２と、該スライド溝Ｃ２に沿って軸長手方向に前後方向に摺動自在となり、キャップ２”内方向に係合子Ｃ１’を突設するスライドボタンＣ１と、先端に中軸９”を固持し、側周面にスライドボタンＣ１の係合子Ｃ１’が摺動自在に係合する軸長手方向に沿ってラセン状に屈曲する誘導溝Ｃ３’を溝設し、軸筒５”の後端に形成される径大部５”ａ内においてパッキンＣ４を当接しつつ回転自在に保持されるホルダーＣ３とからなるものである。そのため、スライドボタンＣ１を前進又は後進させることで、スライドボタンＣ１の係合子Ｃ１’がホルダーＣ３の誘導溝Ｃ３’に沿って摺動するとともに、ホルダーＣ３は軸方向に対して左右回転することから、該ホルダーＣ３の先端に固持される中軸９”も回転するものとなる。
ここで、ホルダーＣ３の外周面に溝設される誘導溝Ｃ３’は軸長手方向に沿ってラセン状に屈曲、すなわちホルダーＣ３の外周面における中心角９０°に相当する距離を有しているので、該誘導溝Ｃ３’に係合するスライドボタンＣ１の摺動によってはホルダーＣ３は左右に各々９０°ずつ回転するものとなる。その結果、該ホルダーＣ３に固持される中軸９”も同様に回転するので、塗布部材７”の塗布部８”は幅方向に変形することができるものである。
【００４６】
一方、化粧料容器本体は、図示しないが、実施例１と同様にその内部でマスカラを貯留するものであって、その開口部の外周面に上記キャップの開口内周面に螺設する雌ネジ部と螺合する雄ネジ部を螺設するとともに、その内部にはシゴキを装着するものである。
【００４７】
ところで、図１０において示すように、塗布体４”の製造は次のようにしてなるものである。すなわち、まず塗布部材７”は、軸長手方向に沿って上下方に向って対向して櫛の塗布部８”、８”を形成するように直線状に、しかも中空に成形して取付孔７”ａを有するものである。さらに中軸９”は、他端側に上方に向かって突出するように湾曲した変形部１０”を形成してなるものである〔同図（イ）参照〕。そこで、中空の塗布部材７”の取付孔７”ａ内に中軸９”を挿入することで、該中軸９”の変形部１０”の表面の一部が塗布部材７”の上方に密着するが、塗布部材７”内には余裕の空間が残っていることから、塗布部材７”は中軸９”の変形部１０”に拘わらず原形のままとなるものである〔同図（ロ）参照〕。
【００４８】
本願発明の実施例３である塗布体４”を具える化粧料容器（図示せず）は以上の構成であるので、使用に当たっては図１０に示すようにするものである。
まず、キャップ２”に装着される回転機構ＣのスライドボタンＣ１が中央部にある場合、塗布体４”の塗布部８”は軸長手方向に沿って直線状になっているものである。そのため、幅方向への湾曲がない睫毛に対して該塗布部８”は合致するものとなり、簡易且つ正確にマスカラ（図示せず）を塗布することができるものである〔同図（ロ）参照〕。
【００４９】
そして、キャップ２”に装着される回転機構ＣのスライドボタンＣ１を軸長手方向スライド溝Ｃ２に沿って前後いずれかに摺動させることにより〔同図（イ）又は同図（ハ）参照〕、スライドボタンＣ１の係合子Ｃ１’はホルダーＣ３の誘導溝Ｃ３’に沿って末端まで摺動し、ホルダーＣ３は軸長手方向を中心に左又は右方向に回転するものとなる。その結果、該ホルダーＣ３の先端に固持される中軸９”は、同方向に回転するものとなるので、該中軸９”先端の湾曲する変形部１０”の左右が密着している塗布部材７”の塗布部８”は、左右いずれか一方の幅方向に変形するので、瞼に沿って湾曲する睫毛に対して、該塗布部８”は合致するものとなるので、簡易且つ正確にマスカラ１２を塗布することができるものである。
【符号の説明】
【００５０】
１    化粧料容器
２、２’、２”    キャップ
２”ａ    蓋体
３、３’、３”    雌ネジ部
４、４’、４”    塗布体
５、５’、５”    軸筒
５ａ、５’ａ、５”ａ    径大部
６、６’、６”    貫通孔
７、７’、７”    塗布部材
７ａ、７’ａ、７”ａ    取付孔
８、８’、８”    塗布部
９、９’、９”    中軸
１０、１０’、１０”    変形部
１１    化粧料容器本体
１２    マスカラ
１３    開口部
１４    雄ネジ部
１５    シゴキ
Ａ    回転機構
Ａ１    回転操作部
Ａ２    ホルダー
Ａ３    リブ
Ａ４    パッキン
Ａ５    突条片
Ｂ    回転機構
Ｂ１    ホイール
Ｂ１’    ギア
Ｂ２    中間ギア
Ｂ３    ベベルギア
Ｂ４    ベベルギア
Ｂ５    ホルダー
Ｂ６    パッキン
Ｃ    回転機構
Ｃ１    スライドボタン
Ｃ１’    係合子
Ｃ２    スライド溝
Ｃ３    ホルダー
Ｃ３’    誘導溝
Ｃ４    パッキン
【図１】
2015058056.tif 000003
【図２】
2015058056.tif 000004
【図３】
2015058056.tif 000005
【図４】
2015058056.tif 000006
【図５】
2015058056.tif 000007
【図６】
2015058056.tif 000008
【図７】
2015058056.tif 000009
【図８】
2015058056.tif 000010
【図９】
2015058056.tif 000011
【図１０】
2015058056.tif 000012
【図１１】
2015058056.tif 000013